(57)【要約】【課題】種類等の異なる商品を、分類して陳列可能とし、商品の多様性に対処しうるようにする。【解決手段】下端に前方を向くベース脚２を有する左右１対の支柱１と、両ベース脚２の前端に立設した、支柱１よりも短寸の左右１対の補助支柱３の上部とにより、前後方向を向く枠状の支持フレーム８を、下向き傾斜状に支持するとともに、該支持フレーム８の上面に、前後方向を向く複数の棚１７の後端を、前後方向に間隔をおいて取付ける。【選択図】        図６
2004261284.tif 000002
【特許請求の範囲】
【請求項１】
下端に前方を向くベース脚を有する左右１対の支柱と、前記両ベース脚の前端に立設された、支柱よりも短寸の左右１対の補助支柱の上部とにより、前後方向を向く枠状の支持フレームを、下向き傾斜状に支持するとともに、該支持フレームの上面に、前後方向を向く複数の棚の後端を、前後方向に間隔をおいて取付けたことを特徴とする商品陳列棚。
【請求項２】
各支柱の前面に上下複数のスリットを設け、該スリットに選択的に係合しうる左右１対の支持金具により、支持フレームの後端を上下位置調節可能に支持してなる請求項１記載の商品陳列棚。
【請求項３】
支持フレームの左右両側部上面に、前後複数のスリットを設け、該スリットに、棚の左右両側部後端に設けた係合爪を選択的に係合することにより、棚の取付位置を調節可能としてなる請求項１または２記載の商品陳列棚。
【請求項４】
棚を、そのブラケットの後端と支持フレームに係止可能な係止部材との間に設けた角度調節手段により、支持フレームに対し傾斜角度調節可能に取付けてなる請求項１〜３のいずれかに記載の商品陳列棚。
【請求項５】
角度調節手段が、棚のブラケットと係止部材とのいずれか一方に、それらを枢着する左右方向を向く枢軸を中心とする円弧上に穿設された複数の角度調節孔と、他方に穿設され、前記複数の角度調節孔に選択的に整合可能な停止孔と、前記角度調節孔のいずれかと停止孔とに挿通することにより、棚のブラケットと係止部材との相対回動を阻止するストッパピンとを備えるものである請求項４記載の商品陳列棚。
【請求項６】
支持フレームの上面に、下端に商品落下防止用のフェンスを有する棚板を取付けることにより、支持フレームを陳列板としてなる請求項１〜５のいずれかに記載の商品陳列棚。
【発明の詳細な説明】
【０００１】
【発明の属する技術分野】
本発明は、スーパーマーケットやホームセンター、コンビニエンスストア等に設置し、青果や食料品、日用品、その他の商品を、客が見易いように陳列するのに用いる商品陳列棚に関する。
【０００２】
【従来の技術】
商品陳列棚は、陳列する商品に応じて客が容易に見得る傾斜角度で陳列することが好ましく、また商品の多様性に対処できることが好ましい。
このような商品陳列棚（台）としては、例えば、台枠上面の左右両水平枠杆に、前後幅が台枠の前後幅より狭い移動枠を前後方向へ移動可能に載せると共に、移動枠の前枠杆に陳列板の前端を上方へ回動可能に枢着し、移動枠と陳列板との間に陳列板の傾斜角度調整装置を設け、陳列板の傾斜角度を調整することにより、商品に応じた傾斜角度で商品を陳列しうるようにしたものがある（例えば特許文献１参照）。
【０００３】
【特許文献１】
特開平９―５６５４２号公報（第２―３頁、図５）
【０００４】
【発明が解決しようとする課題】
上記特許文献１に記載されている商品陳列台では、同一商品を山積みにする陳列形態しかできず、陳列効果が低い。
また、陳列板全体が傾斜するようになっているため、１個の陳列台で、種類等の異なる商品を、客が見易い最適な傾斜角度で陳列できないという問題もある。
【０００５】
本発明は、上記問題点に鑑みてなされたもので、種類等の異なる商品を分類して陳列可能とし、商品の多様性を対処しうるとともに、商品に応じて、客が見易い最適な傾斜角度で陳列し、商品の陳列効果を大としうるようにした、商品陳列棚を提供することを目的としている。
【０００６】
【課題を解決するための手段】
本発明によると、上記課題は、次のようにして解決される。
（１）下端に前方を向くベース脚を有する左右１対の支柱と、前記両ベース脚の前端に立設した、支柱よりも短寸の左右１対の補助支柱の上部とにより、前後方向を向く枠状の支持フレームを、下向き傾斜状に支持するとともに、該支持フレームの上面に、前後方向を向く複数の棚の後端を、前後方向に間隔をおいて取付ける。
【０００７】
（２）上記（１）項において、各支柱の前面に上下複数のスリットを設け、該スリットに選択的に係合しうる左右１対の支持金具により、支持フレームの後端を上下位置調節可能に支持する。
【０００８】
（３）上記（１）または（２）項において、支持フレームの左右両側部上面に、前後複数のスリットを設け、該スリットに、棚の左右両側部後端に設けた係合爪を選択的に集合することにより、棚の取付位置を調節可能とする。
【０００９】
（４）上記（１）〜（３）項のいずれかにおいて、棚を、そのブラケットの後端と支持フレームに係止可能な係止部材との間に設けた角度調節手段により、支持フレームに対し傾斜角度調節可能に取付ける。
【００１０】
（５）上記（４）項において、角度調節手段が、棚のブラケットと係止部材とのいずれか一方に、それらを枢着する左右方向を向く枢軸を中心とする円弧上に穿設された複数の角度調節孔と、他方に穿設され、前記複数の角度調節孔に選択的に整合可能な停止孔と、前記角度調節孔のいずれかと停止孔とに挿通することにより、棚のブラケットと係止部材との相対回動を阻止するストッパピンとを備えるものとする。
【００１１】
（６）上記（１）〜（４）項のいずれかにおいて、支持フレームの上面に、下端に商品落下防止用のフェンスを有する棚板を取付けることにより、支持フレームを陳列板とする。
【００１２】
【発明の実施形態】
以下、本発明の実施形態を、図面に基づいて説明する。
図１は、本発明の商品陳列棚全体のフレームを示すもので、左右方向に間隔をおいて並ぶ複数（３個）の支柱（１）と、各支柱（１）の下端の前面に前向きとして固着されたベース脚（２）と、各ベース脚（２）の前端に上向として固着された短寸の補助支柱（３）とを備え、隣接する支柱（１）の上下の対向面は、横杆（４）（４）により連結されている。
【００１３】
各支柱（１）の下端とベース脚（２）の前端下面には、キャスタ（５）が取付けられている。（６）は後面板である。
各支柱（１）は、角筒状をなし、その前面には、上下方向を向く左右２列のスリット（７）が、等間隔おきに多数列設されている。
【００１４】
上記支柱（１）、ベース脚（２）、横杆（４）及び後面板（６）は、通常の陳列棚を構成する部材を用いている。
【００１５】
隣接する支柱（１）の前面と補助支柱（３）の上端との間には、後記する棚（１７）の支持フレーム（８）が、前下方に傾斜させて取付けられている。
【００１６】
支持フレーム（８）は、正面視下向コ字状をなす左右１対の前後方向を向く支持杆（９）（９）と、それらの対向面同士を連結している左右方向を向く３本の連結杆（１０）とからなり、各支持杆（９）の上面の側端部寄りには、前後方向を向くスリット（１１）が、等間隔おきに穿設されている。
【００１７】
（１２）は、上記支持杆（９）の後端を支持する垂直平板状の支持金具で、図２に示すように、その後端面には、上記各支柱（１）のスリット（７）に係合可能な上下３個の下向鉤状の係合爪（１３）が、等間隔おきに突設されている。
【００１８】
また、支持金具（１２）の上面には、上端が開口する側面視Ｕ字状の係止溝（１４）が形成され、この係止溝（１４）には、支持杆（９）の後端のコ字状空間部内に固着された、左右方向を向く係止ピン（１５）が、上方より挿脱自在にかつ回動可能に遊嵌される。
【００１９】
隣接する支柱（１）のスリット（７）の所望の位置に１対の支持金具（１２）を取付け、それらの係止溝（１４）に、支持杆（９）の後端の係止ピン（１５）を係止させることにより、支持フレーム（８）の後端が左右１対の支柱（１）の前面により支持されている。
【００２０】
上記補助支柱（３）は、図３に示すように、平面視コ字状をなし、その前面の上端部には、上端が開口するスリット状の切欠き溝（１６）を設けてある。左右の補助支柱（３）の切欠き溝（１６）に、左右の支持杆（９）の前端部における外方の下向片（９ａ）を、上方より嵌合することにより、支持フレーム（８）の前端部が１対の補助支柱（３）に着脱可能に支持されている。
【００２１】
切欠き溝（１６）の幅は、支持フレーム（８）を左方にも並べて取付ける際には、隣接する支持杆（９）の両下向片（９ａ）が共に嵌合しうる大きさとすればよい。
【００２２】
図４は、上記支持フレーム（８）の上面に取付けられる棚（１７）の後端部の分解斜視図で、棚板（１８）と、その左右両側部下面に固着された左右１対の棚板ブラケット（１９）（１９）と、それらの後端に枢着される１対の垂直平板状の係止金具（２０）（２０）とを備え、係止金具（２０）の後端には、上記支持杆（９）のスリット（１１）に選択的に係合しうる３個の下向鉤状の係合爪（２０ａ）が突設されている。最上部の係合爪（２０ａ）の上端には、スリット（１１）よりの抜止め片（２０ｂ）が上向きに連設されている。
【００２３】
各棚板ブラケット（１９）の後端部には、枢支孔（２１）と、それよりもやや前下方の停止孔（２２）とが、それぞれ左右方向に同軸に整合するように穿設され、停止孔（２２）と整合する外側面には、ナット（２３）が溶接されている。
【００２４】
一方、各係止金具（２０）には、上記枢支孔（２１）と整合する枢支孔（２４）と、その下方において枢支孔（２４）を中心とする円弧上に、複数（５個）の角度調節孔（２５）とが穿設されている。
【００２５】
各角度調節孔（２５）は、上記停止孔（２２）と選択的に整合しうるようになっている。
【００２６】
左右の棚板ブラケット（１９）と両係止金具（２０）とは、該係止金具（２０）を棚板ブラケット（１９）の内側面側に位置させた状態で、それらの枢支孔（２１）（２４）に、枢支ピン（２６）を外方より挿通し、内方の突出端をかしめることにより、互いに上下に回動自在に連結されている（図５参照）。
【００２７】
図５に示すように、係止金具（２０）に対し、棚（１７）の下向き傾斜角度を調節するには、棚板ブラケット（１９）の停止孔（２１）を、係止金具（２０）の角度調節孔（２５）のいずれかと整合させて、ストッパピンとしてのボルト（２７）を、内方より、ナット（２３）に螺合すればよく、これにより、棚（１７）の角度を段階的に調節しうる。
【００２８】
複数の棚（１７）を支持フレーム（８）に取付けるには、左右の係止金具（２０）の後端の係止爪（２０ａ）を、左右の支持杆（９）の所望のスリット（１１）に、前後方向に所要の間隔を設けて係合させればよい。
【００２９】
図６、図７は本発明の商品陳列棚の使用形態の一例を示すもので、支柱（１）の後面側にも、前面側と同様の取付形態により支持フレーム（８）を後向き傾斜状に取付け、前後の支持フレーム（８）（図７は前方のみ）に、棚（１７）を、水平をなす階段状又は適宜の傾斜角度で取付け、その上面に商品（Ｇ）を載置してある。
【００３０】
（２８）は、棚（１７）の前端に上向きに立設された、商品落下防止用のフェンスである。
【００３１】
棚（１７）は、その左右の係止金具（２０）の係止爪（２０ａ）を、隣接する支柱（１）の前面又は後面のスリット（７）に係合することにより、支柱（１）に所望の傾斜角度で直接取付けることもできる。
【００３２】
また、支持フレーム（８）の上面に棚板（図示略）を取付けて陳列棚とすれば、支持フレーム（８）にも商品（Ｇ）を載置して陳列することができる。
【００３３】
本発明は、上記実施形態に限定されるものではない。
上記実施形態では、支柱（１）のスリット（７）への支持金具（１２）の係合位置を変えることにより、支持フレーム（８）の傾斜角度を調節可能としているが、傾斜角度を調節する必要がないときには、支持フレーム（３）の後端を、適宜の傾斜角度となるように支柱（１）の前面に固定するようにしてもよい。
【００３４】
また、棚（１７）についても、その傾斜角度を調節する必要がないときは、左右の棚板ブラケット（１９）の後端に係合爪を突設するなどして、支持フレーム（８）に適宜の角度で取付けるようにしてもよい。
【００３５】
【発明の効果】
請求項１記載の発明によれば、複数の棚が、支持フレームの上面に階段状に取付けられるので、各棚上に、種類等の異なる商品を分類して陳列することができ、陳列効果が大となるとともに、商品の多様性に対処しうる。
【００３６】
請求項２記載の発明によれば、支持フレームの傾斜角度を変えうるので、それに取付けた棚の角度を、陳列する商品に応じて見易いように調節可能となり、陳列効果がより大となる。
【００３７】
請求項３記載の発明によれば、陳列する商品の形状や種類等に応じて、棚の前後位置を、客が見易いように最適に調節することができる。
【００３８】
請求項４記載の発明によれば、棚の傾斜角度を、商品に応じて見易いように単独で調節することができ、また支持フレームの傾斜角度も変えれば、棚の傾斜角度の調節領域が拡大するので、陳列可能な商品の選択幅が広がる。
【００３９】
請求項５記載の発明によれば、棚の傾斜角度を、段階的に容易に調節することができる。
【００４０】
請求項６記載の発明によれば、支持フレームにも商品を陳列しうるので、商品の陳列量を増加することができる。
【図面の簡単な説明】
【図１】本発明の商品陳列棚全体のフレームを示す斜視図である。
【図２】同じく、支持金具と、それにより支持される支持フレームの支持杆の後端部の斜視図である。
【図３】同じく、補助支柱の上端部の斜視図である。
【図４】同じく、棚の後端部の分解斜視図である。
【図５】同じく、棚における棚板ブラケットと係止金具との枢着部の側面図である。
【図６】陳列棚の使用形態を示す側面図である。
【図７】同じく、他の使用形態を示す側面図である。
【符号の説明】
（１）支柱
（２）ベース脚
（３）補助支柱
（４）横杆
（５）キャスタ
（６）後面板
（７）スリット
（８）支持フレーム
（９）支持杆
（９ａ）下向片
（１０）連結杆
（１１）スリット
（１２）支持金具
（１３）係合爪
（１４）係止溝
（１５）係止ピン
（１６）切欠き溝
（１７）棚
（１８）棚板
（１９）棚板ブラケット
（２０）係止金具（係止部材）
（２０ａ）係合孔
（２０ｂ）抜止め片
（２１）枢支孔
（２２）停止孔
（２３）ナット
（２４）枢支孔
（２５）角度調節孔
（２６）枢支ピン（枢軸）
（２７）ボルト（ストッパピン）
（２８）フェンス
（Ｇ）商品
【図１】
2004261284.tif 000003
【図２】
2004261284.tif 000004
【図３】
2004261284.tif 000005
【図４】
2004261284.tif 000006
【図５】
2004261284.tif 000007
【図６】
2004261284.tif 000008
【図７】
2004261284.tif 000009